(57)【要約】【課題】情報出力制御装置において、コンテンツ情報毎に適した外部情報を設定し、当該コンテンツ情報をより適切に出力すること。【解決手段】出力するコンテンツＣｎ（又はその出力形式）毎に、当該コンテンツＣｎの出力制御に利用する視聴者情報（外部情報の種類［Ｃ１:平均距離／Ｃ２：人数／Ｃ３：男女比）と出力制御を実行する外部情報の条件［Ｃ１：平均距離閾値／Ｃ２：人数閾値／Ｃ３：男女比閾値］と該条件が満たされた場合に実行する出力制御の内容［Ｃ１：音量の増減／Ｃ２：画像の拡大縮小／Ｃ３：コンテンツの遷移］とを設定し出力制御情報定義ファイル２０Ｄに設定する。撮像部で撮影した視聴者を含む撮像データと測距部で測定した被写体までの距離等の外部情報から、出力するコンテンツＣｎ毎に対応する種類の外部情報を取得し、当該外部情報の条件が満たされたかを判断して出力制御の内容を実行する。【選択図】      図４
2018046485.tif 000002
【特許請求の範囲】
【請求項１】
コンテンツ情報と、当該コンテンツ情報の出力制御に利用する外部情報の種類とを取得する取得手段と、
取得した前記外部情報の種類に基づいて外部情報を取得する外部情報取得手段と、
取得した前記外部情報に基づいて前記コンテンツ情報の出力制御を行う出力制御手段と、
を備えたことを特徴とする情報出力制御装置。
【請求項２】
前記コンテンツ情報と、前記コンテンツ情報を出力する際の出力態様をどのように制御するかを示す制御内容とを対応させて記憶する記憶手段を更に備える、
ことを特徴とする請求項１に記載の情報出力制御装置。
【請求項３】
前記出力制御手段は、前記外部情報取得手段により取得された前記外部情報に応じて、前記出力する前記コンテンツ情報の出力態様を前記制御内容に従って制御する、
ことを特徴とする請求項２に記載の情報出力制御装置。
【請求項４】
前記記憶手段は、前記制御内容と、前記制御内容を実行する実行条件とを対応付けて記憶し、
前記出力制御手段は、前記外部情報取得手段により取得された前記外部情報が前記実行条件を満たした場合に、前記出力するコンテンツ情報の出力態様を前記制御内容に従って制御する、
ことを特徴とする請求項３に記載の情報出力制御装置。
【請求項５】
前記外部情報の種類は前記コンテンツ情報を視聴する視聴者までの距離を含み、
前記外部情報取得手段は、前記距離を測定する距離測定手段を有し、
前記記憶手段は、前記距離を前記実行条件の１つとして記憶し、
前記出力制御手段は、前記距離と前記実行条件とに基づいて前記コンテンツ情報の出力態様として前記コンテンツ情報の音量の増減を制御する、
ことを特徴とする請求項４に記載の情報出力制御装置。
【請求項６】
前記外部情報の種類は前記コンテンツ情報を視聴する視聴者の人数を含み、
前記外部情報取得手段は、前記視聴者の人数を取得する人数取得手段を有し、
前記記憶手段は、前記視聴者の人数を前記実行条件の１つとして記憶し、
前記出力制御手段は、前記視聴者の人数と前記実行条件とに基づいて前記コンテンツ情報の出力態様として前記コンテンツ情報の表示サイズを制御する、
ことを特徴とする請求項４に記載の情報出力制御装置。
【請求項７】
前記外部情報の種類は前記コンテンツ情報を視聴する視聴者の男女比を含み、
前記外部情報取得手段は、前記視聴者の男女比を取得する男女比取得手段を有し、
前記記憶手段は、前記視聴者の男女比を前記実行条件の１つとして記憶し、
前記出力制御手段は、前記視聴者の男女比と前記実行条件とに基づいて前記コンテンツ情報の出力態様として前記コンテンツ情報の変更を制御する、
ことを特徴とする請求項４に記載の情報出力制御装置。
【請求項８】
前記記憶手段は、出力する前記コンテンツ情報の出力形式と、前記コンテンツ情報とを対応付けて記憶している、
ことを特徴とする請求項２乃至請求項６の何れか１項に記載の情報出力制御装置。
【請求項９】
前記出力形式は画像出力と音出力の何れかを含む、ことを特徴とする請求項８に記載の情報出力制御装置。
【請求項１０】
コンテンツ情報と、当該コンテンツ情報の出力制御に利用する外部情報の種類とを取得し、
出力部が出力する前記コンテンツ情報に基づいて外部情報を取得し、
取得した前記外部情報に基づいて前記コンテンツ情報の出力制御を行う、
ことを特徴とする情報出力制御方法。
【請求項１１】
コンピュータを、
コンテンツ情報と、当該コンテンツ情報の出力制御に利用する外部情報の種類とを取得する取得手段、
取得した前記外部情報の種類に基づいて外部情報を取得する外部情報取得手段、
取得した前記外部情報に基づいて前記コンテンツ情報の出力制御を行う出力制御手段、
として機能させるためのコンピュータ読み込み可能なプログラム。
【発明の詳細な説明】
【技術分野】
【０００１】
本発明は、情報出力制御装置、情報出力制御方法、及びそのプログラムに関する。
【背景技術】
【０００２】
動画、静止画、音声等、様々な出力形式で広告等のコンテンツ情報を出力する情報出力装置がある。このような情報出力装置では、視聴者が視聴し易いようにコンテンツ情報を出力することが望ましい。
【０００３】
従来の画像表示装置において、表示画面に表示されている画像データの種類と、表示画面と視聴者との距離に応じて、画像データを拡大又は縮小して表示させることで、多人数の視聴者に対して見易い画面を提供する技術が考えられている（例えば、特許文献１参照。）。
【先行技術文献】
【特許文献】
【０００４】
【特許文献１】特開２０１４−０４４３６９号公報
【発明の概要】
【発明が解決しようとする課題】
【０００５】
従来の画像表示装置では、視聴者の状態に応じて画像（コンテンツ情報）を拡大／縮小（加工）して表示させることで、コンテンツ情報を視聴し易く提供することが考えられている。
【０００６】
しかしながら、視聴者の状態を把握するために必要な情報（外部情報）の種類をコンテンツ情報毎に設定することで、当該コンテンツ情報毎により適切にコンテンツ情報を加工して出力することは行われていなかった。
【０００７】
本発明は、このような課題に鑑みなされたもので、コンテンツ情報をより適切に出力することが可能になる情報出力制御装置、情報出力制御方法、及びそのプログラムを提供することを目的とする。
【課題を解決するための手段】
【０００８】
本発明に係る情報出力制御装置は、コンテンツ情報と、当該コンテンツ情報の出力制御に利用する外部情報の種類とを取得する取得手段と、取得した前記外部情報の種類に基づいて外部情報を取得する外部情報取得手段と、取得した前記外部情報に基づいて前記コンテンツ情報の出力制御を行う出力制御手段と、を備えたことを特徴としている。
【発明の効果】
【０００９】
本発明によれば、コンテンツ情報をより適切に出力することが可能になる。
【図面の簡単な説明】
【００１０】
【図１】本発明の情報出力制御装置の実施形態に係るサイネージ装置１０の外観構成を示す図であり、同図（Ａ）はその正面図、同図（Ｂ）はその平面図。
【図２】前記サイネージ装置１０の電子回路の機能構成を示すブロック図。
【図３】前記サイネージ装置１０のコンテンツメモリ２０に確保されたコンテンツデータエリア２０Ｃを示す図。
【図４】前記サイネージ装置１０のコンテンツメモリ２０に確保された出力制御情報定義ファイル２０Ｄに記憶されるデータの内容を示す図。
【図５】前記サイネージ装置１０の人物認識機能，性別判定機能，視聴者判断機能に基づき作成されてメインメモリ２７に一時記憶された視聴者リスト２７Ｌの一例を示す図。
【図６】前記サイネージ装置１０のコンテンツ出力処理を示すフローチャート。
【発明を実施するための形態】
【００１１】
以下図面により本発明の実施の形態について説明する。
【００１２】
図１は、本発明の情報出力制御装置の実施形態に係るサイネージ装置１０の外観構成を示す図であり、同図（Ａ）はその正面図、同図（Ｂ）はその平面図である。
【００１３】
このサイネージ装置１０は、プロジェクタ技術を用いた電子マネキンであり、例えば商業施設の店頭に設置される。
【００１４】
このサイネージ装置１０は、装置本体に内蔵されたリアプロジェクション方式の投影部１１により背面側から画像が投影されて表示されるスクリーンパネル１２を備え、当該スクリーンパネル１２には、例えば、商品説明員等の広告モデルＭを含む動画又は静止画の広告画像Ｇａが投影されて表示される。
【００１５】
また、このサイネージ装置１０は、スピーカ１３Ｌ，１３Ｒを備え、当該スピーカ１３Ｌ，１３Ｒからは、前記スクリーンパネル１２に投影される広告画像Ｇａに対応した広告音声Ｓａが出力される。
【００１６】
前記広告画像Ｇａと広告音声Ｓａは、異なる広告毎に１つのコンテンツデータに編集されて生成されており、当該各広告（コンテンツデータ）は、例えば、本サイネージ装置１０の設置者により選択されて出力される。
【００１７】
なお、前記コンテンツデータは、画像（動画又は静止画又はその両方）と音声との組合せに限らず、その何れかでもよく、当該動画、静止画、音声は、コンテンツデータの出力形式とする。
【００１８】
前記装置本体の前面の中央には、当該装置本体の前面に接近した人物を撮影する撮像部１４（外部情報取得手段）が設けられ、当該撮像部１４には、被写体までの距離を測定する測距部１４ｄが備えられる。また、前記装置本体の前面パネルには、液晶表示部１５も設けられる。
【００１９】
そして、前記サイネージ装置１０は、前記撮像部１４により撮影された撮像データに基づいて、当該撮像データに含まれる人物を認識する人物認識機能、人物認識された人物の顔を認識する顔認識機能、顔認識された人物の性別を判定する性別判定機能、前記人物認識された人物（ｈｉ，ｈｏ）のうち、前記コンテンツデータ（又はその出力形式）に応じて設定された当該コンテンツデータの出力対象範囲（装置本体前面側の距離ｄ以内）に位置する人物を視聴者ｈｉとして判断する視聴者判断機能等を有する。
【００２０】
図２は、前記サイネージ装置１０の電子回路の機能構成を示すブロック図である。
【００２１】
図３は、前記サイネージ装置１０のコンテンツメモリ２０（記憶手段）に確保されたコンテンツデータエリア２０Ｃを示す図である。
【００２２】
前記コンテンツデータエリア２０Ｃには、複数種類の広告等のコンテンツデータＣ１，Ｃ２，Ｃ３，…が予め生成されて記憶される。このコンテンツデータエリア２０Ｃに記憶される複数種類のコンテンツデータＣ１，Ｃ２，Ｃ３，…は、後述するＣＰＵ２６により選択的に読み出され、システムバスＢＳを介して投影画像駆動部２１に送られる。
【００２３】
この投影画像駆動部２１は、前記システムバスＢＳを介して送られてきた画像Ｇａのデータに応じて、所定のフォーマットに従ったフレームレート、例えば１２０［フレーム／秒］と色成分の分割数、及び表示階調数を乗算した、より高速な時分割駆動により、表示素子であるマイクロミラー素子２２を表示駆動する。
【００２４】
このマイクロミラー素子２２は、アレイ状に配列された複数個、例えばＷＸＧＡ（横１２８０画素×縦７６８画素）分の微小ミラーの各傾斜角度を個々に高速でオン／オフ動作して表示動作することで、その反射光により光像を形成する。
【００２５】
一方で、光源部２３から時分割でＲ，Ｇ，Ｂの原色光が循環的に出射される。この光源部２３は、半導体発光素子であるＬＥＤを有し、Ｒ，Ｇ，Ｂの原色光を時分割で繰り返し出射する。この光源部２３が有するＬＥＤは、広義でのＬＥＤとして、ＬＤ（半導体レーザ）や有機ＥＬ素子を含むものとしても良い。
【００２６】
また、前記ＬＥＤから出射された光を蛍光体に照射することで励起される、元の光とは波長が異なる原色光を用いるものとしても良い。この光源部２３からの原色光が、ミラー２４で反射して前記マイクロミラー素子２２に照射される。
【００２７】
そして、前記マイクロミラー素子２２での反射光で光像が形成され、当該形成された光像が前記投影部１１を介して前記スクリーンパネル１２の背面側から投射される。
【００２８】
前記投影部１１は、そのレンズ光学系中に合焦位置を可変するフォーカスレンズ、及び投影画角を可変するズームレンズを含む。これらフォーカスレンズ及びズームレンズは、レンズモータ（Ｍ）２５の回動駆動によりレンズ光軸に沿ってそれぞれ移動することで、当該投影部１１の出射する光像の合焦位置、投影画角がそれぞれ変化する。
【００２９】
前記各回路の動作すべてを前記ＣＰＵ２６が制御する。このＣＰＵ２６は、メインメモリ２７及びプログラムメモリ２８と直接接続される。
【００３０】
前記メインメモリ２７は、例えばＳＲＡＭで構成され、前記ＣＰＵ２６のワークメモリとして機能する。
【００３１】
前記プログラムメモリ２８は、電気的書き換え可能な不揮発性メモリ、例えばフラッシュＲＯＭで構成され、前記ＣＰＵ２６が実行する動作プログラムや各種定型データ等を記憶する。前記動作プログラムは、前記撮像部１４により撮影された画像のデータから人物画像を認識するための人物認識プログラム、当該認識された人物画像のデータから顔画像を認識するための顔認識プログラムを含む。
【００３２】
前記ＣＰＵ２６は、前記プログラムメモリ２８に記憶されている動作プログラムや定型データ等を読出し、前記メインメモリ２７に展開して記憶させた上で当該プログラムを実行することにより、本サイネージ装置１０を統括して制御する。
【００３３】
前記ＣＰＵ２６は、操作部２９からの操作信号に応じて各種投影動作を実行する。この操作部２９は、サイネージ装置１０の本体に備える、電源キーを含むいくつかの操作キーのキー操作信号を前記ＣＰＵ２６へ送出する。
【００３４】
前記ＣＰＵ２６はさらに、前記システムバスＢＳを介して前記撮像部１４、測距部１４ｄ、表示部１５、音処理部３０、無線ＬＡＮインタフェース（Ｉ／Ｆ）３１と接続される。
【００３５】
前記音処理部３０は、ＰＣＭ音源等の音源回路を備え、投影動作時に前記コンテンツメモリ２０のコンテンツデータエリア２０Ｃから読み出されるコンテンツデータＣｎ中の音声データをアナログ化し、前記スピーカ１３Ｌ，１３Ｒを駆動して放音させ、あるいは必要によりビープ音等を発生させる。
【００３６】
前記無線ＬＡＮインタフェース３１は、無線ＬＡＮアンテナ３２を介して図示しない最寄りの無線ＬＡＮルータと接続し、データの送受を行なうもので、必要により前記コンテンツメモリ２０に記憶すべきコンテンツデータ等を取得する。
【００３７】
図４は、前記サイネージ装置１０のコンテンツメモリ２０（記憶手段）に確保された出力制御情報定義ファイル２０Ｄに記憶されるデータの内容を示す図である。
【００３８】
この出力制御情報定義ファイル２０Ｄには、前記コンテンツデータ（又はその出力形式）Ｃ１，Ｃ２，…毎に当該コンテンツデータの出力を制御するための情報（出力制御情報）が定義される。この出力制御情報としては、例えば、出力対象範囲を設定する距離の閾値ｄ(cm)、出力制御に利用する外部情報の種類（視聴者の状態を把握するために必要な情報）、出力制御の内容（コンテンツデータの出力態様）、出力制御の実行条件が定義される。
【００３９】
前記出力制御に利用する外部情報の種類としては、例えば、前記出力対象範囲ｄ内の各視聴者ｈｉ…までの距離、各視聴者ｈｉ…の人数、各視聴者ｈｉ…の男女比、各視聴者ｈｉ…の視線等が定義される。
【００４０】
また前記出力制御の内容としては、例えば、画像表示の拡大縮小、画像表示輝度の増減、画像表示の強調、音量の上げ下げ（増減）、音の指向性の変更、異なるコンテンツへの遷移、出力の停止再開等が定義される。これらの出力制御の内容に従い、ＣＰＵ２６（出力制御手段）がコンテンツデータの出力態様を制御する。
【００４１】
また、前記出力制御の実行条件としては、前記外部情報が具体的にどのような状態になっているかを示す数値（閾値）が定義される。この出力制御の実行条件を満たした場合に、ＣＰＵ２６はコンテンツデータの出力態様を出力制御の内容に従って制御する。
【００４２】
なお、本実施形態において、前記コンテンツデータＣ１は、その広告音声Ｓａを主体として視聴者ｈｉにアピールしたいコンテンツであり、前記コンテンツデータＣ２は、その広告画像Ｇａを主体として視聴者ｈｉにアピールしたいコンテンツであり、前記コンテンツデータＣ３は、そのコンテンツ自体が視聴者ｈｉの性別によってアピール度が異なるコンテンツであると仮定する。
【００４３】
そして、前記コンテンツデータＣ１の出力制御情報としては、出力対象範囲を設定する距離の閾値ｄを［５００］、出力制御に利用する外部情報の種類を［各視聴者ｈｉ…までの平均距離］、出力制御の内容を［音量の上げ／下げ］、出力制御の実行条件を［平均距離３００以上／２００以下］として設定し定義する。
【００４４】
また、前記コンテンツデータＣ２の出力制御情報としては、出力対象範囲を設定する距離の閾値ｄを［４００］、出力制御に利用する外部情報の種類を［視聴者ｈｉ…の人数］、出力制御の内容を［画像表示の拡大／縮小］、出力制御の実行条件を［視聴者数５人以上／３人以下］として設定し定義する。
【００４５】
また、前記コンテンツデータＣ３の出力制御情報としては、出力対象範囲を設定する距離の閾値ｄを［６００］、出力制御に利用する外部情報の種類を［視聴者ｈｉ…の男女比］、出力制御の内容を［女性向けコンテンツに遷移／男性向けコンテンツに遷移］、出力制御の実行条件を［視聴者男女比が女性５０％以上／男性６０％以上］として設定し定義する。
【００４６】
図５は、前記サイネージ装置１０の人物認識機能，性別判定機能，視聴者判断機能に基づき作成されてメインメモリ２７に一時記憶された視聴者リスト２７Ｌの一例を示す図である。
【００４７】
この視聴者リスト２７Ｌは、前記出力対象範囲ｄ内に位置する視聴者ｈｉ…毎の距離と性別（男：０／女：１）を対応付けたデータとして作成される。またこの視聴者リスト２７Ｌは、前記コンテンツデータの出力中は繰り返し作成されて更新される。
【００４８】
このように構成されたサイネージ装置１０は、前記ＣＰＵ２６が前記動作プログラムに記述された命令に従い前記電子回路の各部の動作を制御し、ソフトウエアとハードウエアとが協働して動作することにより、以下の動作説明で述べる情報出力制御機能を実現する。
【００４９】
次に、前記構成のサイネージ装置１０の動作について説明する。
【００５０】
図６は、前記サイネージ装置１０のコンテンツ出力処理を示すフローチャートである。
【００５１】
前記サイネージ装置１０の操作部２９の操作に応じたＣＰＵ２６による動作プログラムの実行に従い、前記コンテンツデータエリア２０Ｃ（図３参照）に記憶されている何れかのコンテンツデータＣｎが読み出されその出力が開始されると、当該コンテンツデータＣｎの広告画像Ｇａがスクリーンパネル１２に投影されて表示されると共に、同コンテンツデータＣｎの広告音声Ｓａがスピーカ１３Ｒ，１３Ｌから出力される（ステップＳ１）。
【００５２】
ここでは、前記コンテンツデータＣ１の出力が開始されたと仮定する。
【００５３】
そして、前記撮像部１４により撮影されている装置本体の前面側の撮像データを対象として、当該撮像データに含まれる視聴者（人物）が認識され（ステップＳ２）、人物認識された視聴者（含むｈｉ，ｈｏ）までの距離が前記測距部１４ｄにより測定されて取得される。また、前記人物認識された視聴者の顔が認識されると共に当該顔認識された視聴者の性別が判定されて取得される（ステップＳ３）。
【００５４】
すると、現在出力中のコンテンツデータＣ１に対応して前記出力制御情報定義ファイル２０Ｄ（図４参照）に定義されている出力対象範囲の距離の閾値ｄ（＝５００cm）に従い、装置本体の前面側の半径５００cm以内の出力対象範囲に位置する各視聴者ｈｉ…までの距離とその性別を含む視聴者リスト２７Ｌ（図５参照）が作成されてメインメモリ２７に一時記憶される（ステップＳ４）。
【００５５】
ここで、前記出力中のコンテンツデータＣ１に対応する前記出力制御情報定義ファイル２０Ｄ（図４参照）に定義されている出力制御に利用する外部情報の種類を取得する（ステップＳ５）。ここでコンテンツデータＣ１に対応した出力制御に利用する外部情報の種類が［平均距離］であるため、ステップＳ７へと進む（ステップＳ６）。ＣＰＵ２６は、ステップＳ４で作成された視聴者リスト２７Ｌを参照し、各視聴者ｈｉ…までの距離を取得、その平均距離を算出する（ステップＳ７）。次にＣＰＵ２６は、コンテンツデータＣ１に対応した出力制御の実行条件［平均距離３００以上／２００以下］に基づいて、前記視聴者リスト２７Ｌに含まれている各視聴者ｈｉ…までの距離の平均が３００cm以上に離れているか又は２００cm以下に近付いているか、つまり出力制御の実行条件を満すかを判断する（ステップＳ８）。
【００５６】
例えば、ステップＳ７で取得した前記各視聴者ｈｉ…までの距離の平均が３００cm以上に離れており、出力制御の実行条件を満すと判断された場合は（ステップＳ８（Ｙｅｓ））、ＣＰＵ２６は、前記出力中のコンテンツデータＣ１に対応して前記出力制御情報定義ファイル２０Ｄ（図４参照）に定義されている出力制御の内容［音量の上げ］に従って、前記音処理部３０を介してスピーカ１３Ｒ，１３Ｌから出力されている広告音声Ｓａの音量を所定量上げる制御を行う（ステップＳ９）。
【００５７】
これにより、前記出力対象範囲内に位置する各視聴者ｈｉ…が当該範囲内の比較的外側寄りに位置していたとしても、十分視聴可能な適切な音量で前記広告音声Ｓａを出力することができる。
【００５８】
また、例えば、ステップＳ７で取得した前記各視聴者ｈｉ…までの距離の平均が２００cm以下に近付いており、出力制御の実行条件を満すと判断された場合は（ステップＳ８（Ｙｅｓ））、ＣＰＵ２６は、前記出力中のコンテンツデータＣ１に対応して前記出力制御情報定義ファイル２０Ｄ（図４参照）に定義されている出力制御の内容［音量の下げ］に従って、前記音処理部３０を介してスピーカ１３Ｒ，１３Ｌから出力されている広告音声Ｓａの音量を所定量下げる制御を行う（ステップＳ９）。
【００５９】
これにより、前記出力対象範囲内に位置する各視聴者ｈｉ…が当該範囲内の比較的内側寄りに位置していたとしても、煩くなることなく視聴可能な適切な音量で前記広告音声Ｓａを出力することができる。
【００６０】
一方、前記ステップＳ８において、出力制御の実行条件を満たさないと判断された場合は（ステップＳ８（Ｎｏ））、前記スピーカ１３Ｒ，１３Ｌから出力されている広告音声Ｓａの音量は維持される。
【００６１】
そして、前記操作部２９の操作に応じて、あるいは自動制御に従い、前記コンテンツデータＣ１の出力を終了するとの判断がなされない状態では（ステップＳ１６（Ｎｏ））、前記ステップＳ２以降の処理が繰り返し実行され、その都度、前記視聴者リスト２７Ｌが更新されると共に、出力中のコンテンツデータＣ１（又はその出力形式）に応じて取得した外部情報［平均距離］が前記出力制御の実行条件を満たすか否かで前記広告音声Ｓａの音量制御が行われる（ステップＳ２〜Ｓ１６）。
【００６２】
この後、前記コンテンツデータＣ１の出力を終了するとの判断がなされた場合は（ステップＳ１６（Ｙｅｓ））、前記コンテンツデータＣ１の出力が終了される（ステップＳ１７）。
【００６３】
（コンテンツデータＣ２の出力）
次に、前記同様のコンテンツ出力処理に従いコンテンツデータＣ２の出力を行なっている状態での主要な動作について説明する。
【００６４】
コンテンツデータＣ２の出力が開始されると、当該コンテンツデータＣ２に対応して前記出力制御情報定義ファイル２０Ｄ（図４参照）に定義されている出力対象範囲の距離の閾値ｄ（＝４００cm）に従い、装置本体の前面側の半径４００cm以内の出力対象範囲に位置する各視聴者ｈｉ…までの距離とその性別を含む視聴者リスト２７Ｌ（図５参照）が作成されてメインメモリ２７に一時記憶される（ステップＳ１〜Ｓ４）。
【００６５】
ここで、前記出力中のコンテンツデータＣ２に対応する前記出力制御情報定義ファイル２０Ｄ（図４参照）に定義されている出力制御に利用する外部情報の種類を取得する（ステップＳ５）。ここでコンテンツデータＣ２に対応した出力制御に利用する外部情報の種類が［視聴者人数］であるため、ステップＳ１０へと進む（ステップＳ６）。ＣＰＵ２６は、ステップＳ４で作成された視聴者リスト２７Ｌを参照し、視聴者ｈｉ…の人数を取得する（ステップＳ１０）。次にＣＰＵ２６は、コンテンツデータＣ２に対応した出力制御の実行条件［視聴者数５人以上／３人以下］に基づいて、前記視聴者リスト２７Ｌに含まれている各視聴者ｈｉ…の人数が５人以上に多いか又は３人以下に少ないか、つまり出力制御の実行条件を満すかを判断する（ステップＳ１１）。
【００６６】
例えば、ステップＳ８で取得した前記各視聴者ｈｉ…の人数が５人以上であり出力制御の実行条件を満すと判断された場合は（ステップＳ１１（Ｙｅｓ））、ＣＰＵ２６は、前記出力中のコンテンツデータＣ２に対応して前記出力制御情報定義ファイル２０Ｄ（図４参照）に定義されている出力制御の内容［画像表示の拡大］に従って、前記投影部１１を介してスクリーンパネル１２に投影されている広告画像Ｇａの表示サイズを所定倍率拡大する制御を行う（ステップＳ１２）。
【００６７】
これにより、前記出力対象範囲内に位置する視聴者ｈｉ…の人数が当該範囲内で多くなりスクリーンパネル１２を比較的見辛くなったとしても、前記広告画像Ｇａの主要部をクローズアップし視聴者全員が十分視聴可能な適切な表示サイズにして当該広告画像Ｇａを表示させることができる。
【００６８】
また、例えば、ステップＳ１０で取得した前記各視聴者ｈｉ…の人数が３人以下であり出力制御の実行条件を満すと判断された場合は（ステップＳ１１（Ｙｅｓ））、ＣＰＵ２６は、前記出力中のコンテンツデータＣ２に対応して前記出力制御情報定義ファイル２０Ｄ（図４参照）に定義されている出力制御の内容［画像表示の縮小］に従って、前記投影部１１を介してスクリーンパネル１２に投影されている広告画像Ｇａの表示サイズを所定倍率縮小する制御を行う（ステップＳ１２）。
【００６９】
これにより、前記出力対象範囲内に位置する視聴者ｈｉ…の人数が当該範囲内で少なくなりスクリーンパネル１２を比較的見易いときには、前記広告画像Ｇａの全体を端まで視聴可能な適切な表示サイズにして当該広告画像Ｇａを表示させることができる。
【００７０】
一方、前記ステップＳ１１において、出力制御の実行条件を満たさないと判断された場合は（ステップＳ１１（Ｎｏ））、前記スクリーンパネル１２に投影されている広告画像Ｇａの表示サイズは維持される。
【００７１】
そして、前記操作部２９の操作に応じて、あるいは自動制御に従い、前記コンテンツデータＣ２の出力を終了するとの判断がなされない状態では（ステップＳ１６（Ｎｏ））、前記ステップＳ２以降の処理が繰り返し実行され、その都度、前記視聴者リスト２７Ｌが更新されると共に、出力中のコンテンツデータＣ２（又はその出力形式）に応じて取得した外部情報［視聴者人数］が前記出力制御の実行条件を満たすか否かで前記広告画像Ｇａの表示サイズの制御が行われる（ステップＳ２〜Ｓ１６）。
【００７２】
（コンテンツデータＣ３の出力）
次に、前記同様のコンテンツ出力処理に従いコンテンツデータＣ３の出力を行なっている状態での主要な動作について説明する。
【００７３】
コンテンツデータＣ３の出力が開始されると、当該コンテンツデータＣ３に対応して前記出力制御情報定義ファイル２０Ｄ（図４参照）に定義されている出力対象範囲の距離の閾値ｄ（＝６００cm）に従い、装置本体の前面側の半径６００cm以内の出力対象範囲に位置する各視聴者ｈｉ…までの距離とその性別を含む視聴者リスト２７Ｌ（図５参照）が作成されてメインメモリ２７に一時記憶される（ステップＳ１〜Ｓ４）。
【００７４】
ここで、前記出力中のコンテンツデータＣ３に対応して前記出力制御情報定義ファイル２０Ｄ（図４参照）に定義されている出力制御に利用する外部情報の種類を取得する（ステップＳ５）。ここでコンテンツデータＣ３に対応した出力制御に利用する外部情報の種類が［視聴者男女比］であるため、ステップＳ１３へと進む（ステップＳ６）。ＣＰＵ２６は、ステップＳ４で作成された視聴者リスト２７Ｌを参照し、視聴者の男女比を取得する（ステップＳ１３）。次にＣＰＵ２６は、コンテンツデータＣ３に対応した出力制御の実行条件［女性５０％以上／男性６０％以上］に基づいて、前記視聴者リスト２７Ｌに含まれている各視聴者ｈｉ…の性別から女性が５０％以上か又は男性が６０％以上か、つまり出力制御の実行条件を満すかを判断する（ステップＳ１４）。
【００７５】
例えば、ステップＳ１３で取得した前記各視聴者ｈｉ…の男女比が女性５０％以上であり出力制御の実行条件を満すと判断された場合は（ステップＳ１４（Ｙｅｓ））、ＣＰＵ２６は、前記出力中のコンテンツデータＣ３に対応して前記出力制御情報定義ファイル２０Ｄ（図４参照）に定義されている出力制御の内容［女性向けコンテンツに遷移］に従って、当該出力中のコンテンツデータＣ３を、例えば同コンテンツデータＣ３に編集によって含まれている女性向けコンテンツの部分に遷移する制御を行う（ステップＳ１５）。
【００７６】
これにより、前記出力対象範囲内に位置する視聴者ｈｉ…の男女比が女性５０％以上となった場合には、出力中のコンテンツを当該視聴者に適切な女性向けのコンテンツに変更して出力することができる。
【００７７】
また、例えば、ステップＳ１３で取得した前記各視聴者ｈｉ…の男女比が男性６０％以上であり出力制御の実行条件を満すと判断された場合は（ステップＳ１４（Ｙｅｓ））、ＣＰＵ２６は、前記出力中のコンテンツデータＣ３に対応して前記出力制御情報定義ファイル２０Ｄ（図４参照）に定義されている出力制御の内容［男性向けコンテンツに遷移］に従って、当該出力中のコンテンツデータＣ３を、例えば同コンテンツデータＣ３に編集によって含まれている男性向けコンテンツの部分に遷移する制御を行う（ステップＳ１５）。
【００７８】
これにより、前記出力対象範囲内に位置する視聴者ｈｉ…の男女比が男性６０％以上となった場合には、出力中のコンテンツを当該視聴者に適切な男性向けのコンテンツに変更して出力することができる。
【００７９】
一方、前記ステップＳ１４において、出力制御の実行条件を満たさないと判断された場合は（ステップＳ１４（Ｎｏ））、前記出力中のコンテンツは維持される。
【００８０】
そして、前記操作部２９の操作に応じて、あるいは自動制御に従い、前記コンテンツデータＣ３の出力を終了するとの判断がなされない状態では（ステップＳ１６（Ｎｏ））、前記ステップＳ２以降の処理が繰り返し実行され、その都度、前記視聴者リスト２７Ｌが更新されると共に、出力中のコンテンＣ３に応じて取得した外部情報［視聴者男女比］が前記出力制御の実行条件を満たすかで前記出力中のコンテンツを変更する制御が行われる（ステップＳ２〜Ｓ１６）。
【００８１】
したがって、前記構成のサイネージ装置１０によれば、出力するコンテンツデータＣｎ（又はそのコンテンツの主体となる出力形式）に応じて、当該コンテンツデータＣｎの出力制御に利用するための視聴者情報（外部情報の種類［Ｃ１:視聴者平均距離／Ｃ２：視聴者人数／Ｃ３：視聴者男女比／…）と、当該出力制御を実行するための前記外部情報の条件［Ｃ１：平均距離閾値／Ｃ２：人数閾値／Ｃ３：男女比閾値／…］と、当該条件が満たされた場合に実行する出力制御の内容［Ｃ１：音量の増減／Ｃ２：画像の拡大縮小／Ｃ３：コンテンツの遷移／…］とを予め設定し、前記出力制御情報定義ファイル２０Ｄに設定する。そして、撮像部１４により撮影された視聴者を含む撮像データと、測距部１４ｄにより測定された被写体までの距離等の取得された外部情報から、前記出力するコンテンツデータＣｎ毎に対応する外部情報の種類に基づく外部情報を取得し、当該外部情報の条件が満たされたかを判断して前記出力制御の内容を実行する。
【００８２】
これにより、前記コンテンツデータＣｎの出力形式が、例えば音声主体である場合には視聴者平均距離を取得してその音量を適切に増減制御でき、また画像主体である場合には視聴者人数を取得してその表示サイズを適切に拡大縮小制御できる。また、前記コンテンツデータＣｎが、例えば視聴者の性別によりアピール度が異なるコンテンツである場合には、視聴者男女比を取得してその出力コンテンツを変更制御できる。
【００８３】
よって、コンテンツ情報毎に適した外部情報を取得し、当該コンテンツ情報をより適切に出力することが可能になる。
【００８４】
なお、前記実施形態では、コンテンツデータＣｎ毎に定義した出力制御の実行条件を、当該コンテンツデータＣｎ毎に定義した外部情報の閾値とし、この閾値を満たすか否かで出力制御の内容を実行する構成としたが、前記出力制御の実行条件（外部情報の閾値）を所定時間以上満たすか否かで出力制御の内容を実行する構成としてもよい。
【００８５】
また、前記実施形態では、サイネージ装置１０により各種のコンテンツデータＣｎを出力するものとして説明したが、動画、静止画、音声等を出力可能な装置であれば、前記サイネージ装置１０に限らないのは勿論である。
【００８６】
また、前記実施形態では、視聴者情報を取得するための撮像部１４や測距部１４ｄを、サイネージ装置１０の装置本体に設けて構成しているが、当該装置本体とは別体に設けて構成してもよい。
【００８７】
また、前記実施形態では、事前に視聴者リスト２７Ｌを作成した後に、出力するコンテンツデータＣｎに基づいて外部情報の種類を決定し、該当する外部情報を前記視聴者リスト２７Ｌから取得する形式について説明したが、実施の内容はこれに限られない。例えば、図６におけるステップＳ１の次に、出力するコンテンツデータに基づいて取得する外部情報の種類を決定し、当該外部情報の種類に基づく外部情報を外部情報取得手段で取得し、視聴者リスト２７Ｌを作成してもよい。この場合、事前にコンテンツデータＣｎごとに出力制御に利用する外部情報の種類を判断できるため、その後の外部情報を取得するステップにおいて、必要な外部情報のみを取得する形式としてもよい。
【００８８】
なお、前記実施形態において記載したサイネージ装置１０による各処理の手法及びファイル等のデータ、すなわち、図６のフローチャートに示すコンテンツ出力処理等の手法及び図４に示す出力制御情報定義ファイル２０Ｄ等のデータは、何れもコンピュータに実行させることができるプログラムとして、メモリカード（ＲＯＭカード、ＲＡＭカード等）、磁気ディスク（フロッピ（登録商標）ディスク、ハードディスク等）、光ディスク（ＣＤ−ＲＯＭ、ＤＶＤ等）、半導体メモリ等の外部記憶装置の媒体に格納して配布することができる。そして、表示装置（１１，１２）や音声出力装置（１３）を備えた電子機器のコンピュータ（ＣＰＵ）は、この外部記憶装置の媒体に記憶されたプログラムを記憶装置に読み込み、この読み込んだプログラムによって動作が制御されることにより、前記各実施形態において説明したコンテンツ出力機能を実現し、前述した各手法による同様の処理を実行することができる。
【００８９】
また、前記各手法を実現するためのプログラムのデータは、プログラムコードの形態として通信ネットワーク上を伝送させることができ、この通信ネットワークに接続されたコンピュータ装置（プログラムサーバ）から前記プログラムのデータを表示装置（１１，１２）や音声出力装置（１３）を備えた電子機器に取り込んで記憶装置に記憶させ、前述したコンテンツ出力機能を実現することもできる。
【００９０】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００９１】
以下に、本願出願の当初の特許請求の範囲に記載された発明を付記する。
【００９２】
［１］
コンテンツ情報と、当該コンテンツ情報の出力制御に利用する外部情報の種類とを取得する取得手段と、
取得した前記外部情報の種類に基づいて外部情報を取得する外部情報取得手段と、
取得した前記外部情報に基づいて前記コンテンツ情報の出力制御を行う出力制御手段と、
を備えたことを特徴とする情報出力制御装置。
【００９３】
［２］
前記コンテンツ情報と、前記コンテンツ情報を出力する際の出力態様をどのように制御するかを示す制御内容とを対応させて記憶する記憶手段を更に備える、
ことを特徴とする［１］に記載の情報出力制御装置。
【００９４】
［３］
前記出力制御手段は、前記外部情報取得手段により取得された前記外部情報に応じて、前記出力する前記コンテンツ情報の出力態様を前記制御内容に従って制御する、
ことを特徴とする［２］に記載の情報出力制御装置。
【００９５】
［４］
前記記憶手段は、前記制御内容と、前記制御内容を実行する実行条件とを対応付けて記憶し、
前記出力制御手段は、前記外部情報取得手段により取得された前記外部情報が前記実行条件を満たした場合に、前記出力するコンテンツ情報の出力態様を前記制御内容に従って制御する、
ことを特徴とする［３］に記載の情報出力制御装置。
【００９６】
［５］
前記外部情報の種類は前記コンテンツ情報を視聴する視聴者までの距離を含み、
前記外部情報取得手段は、前記距離を測定する距離測定手段を有し、
前記記憶手段は、前記距離を前記実行条件の１つとして記憶し、
前記出力制御手段は、前記距離と前記実行条件とに基づいて前記コンテンツ情報の出力態様として前記コンテンツ情報の音量の増減を制御する
ことを特徴とする［４］に記載の情報出力制御装置。
【００９７】
［６］
前記外部情報の種類は前記コンテンツ情報を視聴する視聴者の人数を含み、
前記外部情報取得手段は、前記視聴者の人数を取得する人数取得手段を有し、
前記記憶手段は、前記視聴者の人数を前記実行条件の１つとして記憶し、
前記出力制御手段は、前記視聴者の人数と前記実行条件とに基づいて前記コンテンツ情報の出力態様として前記コンテンツ情報の表示サイズを制御する、
ことを特徴とする［４］に記載の情報出力制御装置。
【００９８】
［７］
前記外部情報の種類は前記コンテンツ情報を視聴する視聴者の男女比を含み、
前記外部情報取得手段は、前記視聴者の男女比を取得する男女比取得手段を有し、
前記記憶手段は、前記視聴者の男女比を前記実行条件の１つとして記憶し、
前記出力制御手段は、前記視聴者の男女比と前記実行条件とに基づいて前記コンテンツ情報の出力態様として前記コンテンツ情報の変更を制御する、
ことを特徴とする［４］に記載の情報出力制御装置。
【００９９】
［８］
前記記憶手段は、出力する前記コンテンツ情報の出力形式と、前記コンテンツ情報とを対応付けて記憶している、
ことを特徴とする請求項［２］乃至［６］の何れかに記載の情報出力制御装置。
【０１００】
［９］
前記出力形式は画像出力と音出力の何れかを含む、ことを特徴とする［８］に記載の情報出力制御装置。
【０１０１】
［１０］
コンテンツ情報と、当該コンテンツ情報の出力制御に利用する外部情報の種類とを取得し、
出力部が出力する前記コンテンツ情報に基づいて外部情報を取得し、
取得した前記外部情報に基づいて前記コンテンツ情報の出力制御を行う、
ことを特徴とする情報出力制御方法。
【０１０２】
［１１］
コンピュータを、
コンテンツ情報と、当該コンテンツ情報の出力制御に利用する外部情報の種類とを取得する取得手段、
取得した前記外部情報の種類に基づいて外部情報を取得する外部情報取得手段、
取得した前記外部情報に基づいて前記コンテンツ情報の出力制御を行う出力制御手段、
として機能させるためのコンピュータ読み込み可能なプログラム。
【符号の説明】
【０１０３】
１０  …サイネージ装置（情報出力制御装置）
１１  …投影部
１２  …スクリーンパネル
１３Ｒ，１３Ｌ…スピーカ
１４  …撮像部
１４ｄ…測距部
１５  …表示部
２０  …コンテンツメモリ
２０Ｃ…コンテンツデータエリア
２０Ｄ…出力制御情報定義ファイル
２１  …投影画像駆動部
２２  …マイクロミラー素子
２３  …光源部
２６  …ＣＰＵ
２７  …メインメモリ
２７Ｌ…視聴者リスト
２８  …プログラムメモリ
３０  …音処理部
【図１】
2018046485.tif 000003
【図２】
2018046485.tif 000004
【図３】
2018046485.tif 000005
【図４】
2018046485.tif 000006
【図５】
2018046485.tif 000007
【図６】
2018046485.tif 000008